(57)【要約】 【課題】暖房能力が一目でわかる電気ストーブを提供する。【解決手段】暖房能力を表示する表示部９を、中央に弱から中能力を表示する第１の色である寒色の緑色のＬＥＤ１５を設け、その両端に中と強の間の中強能力を表示する第２の色である中間色の橙色のＬＥＤ１６を設け、更にその両端に強能力を表示する第３の色である暖色の赤色のＬＥＤ１７を設けたので、点灯する色が寒色のみから寒色と中間色、更に寒色と中間色と暖色となることにより色で暖房能力の大小がわかると共に、点灯する面積も点灯する色が多くなるにつれて大きくなるので、点灯面積からも暖房能力の大小がわかるものである。【選択図】図４
2010127589.tif 000002
【特許請求の範囲】
【請求項１】
ヒータを備えた本体ケース部と、該本体ケース部正面に設けられ暖房能力を表示する表示部と、前記本体ケース部上面に設けられ暖房能力を切り替える運転つまみを有する操作部とを備え、前記表示部は複数の発光体を直線状に配置することで形成され、該表示部は、中央に暖房能力が弱運転から点灯する寒色の第１の色の発光体を配置し、該第１の色の発光体の両端に暖房能力が中と強の間の中強能力から点灯する中間色の第２の発光体を配置し、該第２の発光体の両端に暖房能力が強能力から点灯する暖色の第３の発光体を配置したことを特徴とする電気ストーブ。
【請求項２】
前記表示部の第１の色の発光体は、暖房能力が弱運転から点灯する第１の寒色の発光体と、該第１の寒色の発光体の両端に設けられ、暖房能力が弱と中の中間の弱中運転から点灯する第２の寒色の発光体と、該第２の寒色の発光体の両端に設けられ、暖房能力が中運転から点灯する第３の寒色の発光体からなることを特徴とする請求項１記載の電気ストーブ。
【発明の詳細な説明】
【技術分野】
【０００１】
この発明は、電気ストーブに関するものである。
【背景技術】
【０００２】
従来よりこの種のものに於いては、例えば、赤熱ヒータに炭素系抵抗発熱体を用いた発熱体ユニットを使用した電気ストーブでは、炭素系抵抗発熱体の特性として赤熱しにくく、特に弱運転では赤熱ヒータを目視しただけでは運転中か否かわかりにくいという課題を有していた。
そこで、前面を開口したストーブ本体内に設けた反射板の前方に、炭素系抵抗発熱体とその外周を覆う管体からなる発熱体ユニットを設けると共に、複数色を点灯する発光体からなり通電状態を示す表示手段とを備えたものがある。（例えば、特許文献１参照）
【特許文献１】特開２００５−２８２９７８号公報
【０００３】
それによりこの電気ストーブでは、運転状態に合わせて表示手段の点灯色をかえることにより運転スイッチの指示位置を確認しなくても表示手段の点灯色を確認するだけで容易に電気ストーブの運転状況を把握することができ、また、発熱体ユニットの強弱切換を行なった場合に表示手段の点灯色を変えることにより、赤熱した炭素系抵抗発熱体の赤熱色に関係なく容易に強弱運転の状況を把握することができるものであった。
【発明の開示】
【発明が解決しようとする課題】
【０００４】
ところでこの従来のものでは、運転スイッチを操作して発熱体ユニットの強弱切換を行なうものであるが、運転が強弱の二段階の切換であれば、赤色と緑色の二色の点灯が可能な表示手段でよいが、運転が強から弱まで５段階や１０段階の切換が可能となってくると、点灯色も５色や１０色必要となり、そのためには表示手段に赤色と緑色と青色の発光体を設け、その組合せ等により多色の表示をすることとなり、表示部が大型、複雑化し、その発光制御も複雑となる課題があった。
【課題を解決するための手段】
【０００５】
この発明はこの点に着目し上記課題を解決する為、特にその構成を請求項１ではヒータを備えた本体ケース部と、該本体ケース部正面に設けられ暖房能力を表示する表示部と、前記本体ケース部上面に設けられ暖房能力を切り替える運転つまみを有する操作部とを備え、前記表示部は複数の発光体を直線状に配置することで形成され、該表示部は、中央に暖房能力が弱運転から点灯する寒色の第１の色の発光体を配置し、該第１の色の発光体の両端に暖房能力が中と強の間の中強能力から点灯する中間色の第２の発光体を配置し、該第２の発光体の両端に暖房能力が強能力から点灯する暖色の第３の発光体を配置したものである。
【０００６】
又請求項２に係る電気ストーブでは、特にその構成を請求項１の電気ストーブにおいて、前記表示部の第１の色の発光体は、暖房能力が弱運転から点灯する第１の寒色の発光体と、該第１の寒色の発光体の両端に設けられ、暖房能力が弱と中の中間の弱中運転から点灯する第２の寒色の発光体と、該第２の寒色の発光体の両端に設けられ、暖房能力が中運転から点灯する第３の寒色の発光体からなるものである。
【発明の効果】
【０００７】
この発明の請求項１によれば、設定されている暖房能力を表示する表示部９を、複数のＬＥＤが横に一直線上に配置されて構成し、その中央に弱から中能力を表示する第１の色である寒色の緑色のＬＥＤを設け、その緑色のＬＥＤの両端に中と強の間の中強能力を表示する第２の色である中間色の橙色のＬＥＤを設け、更にその橙色のＬＥＤの両端に強能力を表示する第３の色である暖色の赤色のＬＥＤを設けて構成したので、点灯する色が寒色のみから寒色と中間色、更に寒色と中間色と暖色となることにより色で暖房能力の大小がわかると共に、点灯する面積も点灯する色が多くなるにつれて大きくなるので、点灯面積からも暖房能力の大小がわかるものであり、叉、寒色の寒いイメージに中間色、更には暖色の暖かいイメージが追加されて表示されることにより、暖房への期待感を色でも高めることができるものである。
【０００８】
又本発明の請求項２に記載の電気ストーブによれば、請求項１の電気ストーブに於いて、前記表示部の第１の色の発光体は、暖房能力が弱運転から点灯する第１の寒色の発光体と、該第１の寒色の発光体の両端に設けられ、暖房能力が弱と中の中間の弱中運転から点灯する第２の寒色の発光体と、該第２の寒色の発光体の両端に設けられ、暖房能力が中運転から点灯する第３の寒色の発光体からなるので、弱から中の暖房能力を点灯面積でその大小がわかるようにするとともに、弱から中の暖房能力では、ヒータの最大消費電力に対して７０％以下の消費電力で暖房運転を行うが、中の暖房能力を超えて強の暖房能力では、ヒータの最大消費電力に対して７０％を超えて１００％までの消費電力で暖房運転を行うので、省エネ運転を行うのに通常は表示部が第１の色である寒色の緑色の表示の範囲で電気ストーブを使用するように使用者に省エネ運転の目安を喚起することができるものである。
【発明を実施するための最良の形態】
【０００９】
次に、本発明に係る発明の一実施形態を図面に基づいて説明する。
１は電気ストーブで、２本のヒータ２を備えた本体ケース部３と支持部４とからなり、前記支持部４は本体ケース部３を回転自在に支持すると共に本体ケース部３の首振りを行う首振り機構部５と、該首振り機構部５と首振り機構部５を支持する支柱６の一端とが固定される支柱固定部７と、前記支柱６の他端が固定されて支柱６を支持するベース部８から構成されている。
【００１０】
前記本体ケース部３は、正面下部に暖房能力を表示する表示部９を設けると共に、上面には操作部１０を設け、該操作部１０は暖房運転のオンオフ及び暖房能力を１段階の弱運転から１０段階の強運転のいずれかに設定する回転式の運転つまみ１１と、暖房能力をある幅で高低させるゆらぎ運転スイッチ１２と、３０分から１〜３時間まで運転時間を設定できる切りタイマースイッチ１３と、本体ケース部３を首振り動作させる首振りスイッチ１４を有するものである。
【００１１】
前記表示部９は、複数のＬＥＤが横に一直線上に配置されて構成され、中央に弱能力から表示する寒色の第１の色である緑色のＬＥＤ１５が複数設けられ、その緑色のＬＥＤ１５の両端には中と強の間の中強能力から表示する中間色の第２の色である橙色のＬＥＤ１６が設けられ、更にその橙色のＬＥＤ１６の両端には強能力から表示する暖色の第３の色である赤色のＬＥＤ１７が設けられているものである。
【００１２】
つまり寒色の緑色のＬＥＤ１５は暖房能力の１段階から１０段階まで点灯し、中間色の橙色のＬＥＤ１６は暖房能力の７段階から８段階まで点灯し、暖色の赤色のＬＥＤ１７は暖房能力の９段階から１０段階まで点灯するもので、暖房能力１０段階の強運転の時は全部のＬＥＤが点灯している状態となる。
【００１３】
更に表示部９の中央に設けられた寒色の複数の緑色のＬＥＤ１５は、その複数の緑色のＬＥＤ１５の中央に、暖房能力の１段階から１０段階まで点灯する第１の寒色の緑色のＬＥＤ１８を設け、更にその第１の寒色の緑色のＬＥＤ１８の両端には暖房能力の３段階から１０段階まで点灯する第２の寒色の緑色のＬＥＤ１９を設け、更にその第２の寒色の緑色のＬＥＤ１９の両端には暖房能力の５段階から１０段階まで点灯する第３の寒色の緑色のＬＥＤ２０が設けられているものである。
【００１４】
次にこの表示部９の動作について説明する。
暖房運転オフ状態で運転つまみ１１を運転オフから暖房運転１段階に回すと、２本のヒータ２に通電され、暖房運転が開始される。
この時全消灯状態だった表示部９の中央に設けられた複数の緑色のＬＥＤ１５のその中央に設けた第１の緑色のＬＥＤ１８が点灯する。
本発明の電気ストーブ１は、所定時間の間の通電オン時間と通電オフ時間を可変することにより暖房運転の能力を制御するもので、運転つまみ１１の操作によりそれに該当する暖房能力になるよう制御部２１のマイコンが通電オン時間と通電オフ時間を制御するものである。
【００１５】
この暖房能力の１段階から運転つまみ１１を操作して暖房能力を２段階、そして３段階に設定すると、表示部９中央の第１の緑色のＬＥＤ１８と、その両端の第２の緑色のＬＥＤ１９が点灯し、表示部９０の緑色の面積が増加し、暖房能力が大きくなったことを表示する。
【００１６】
この運転つまみ１１を操作して暖房能力を１段階から２段階、そして３段階に設定すると、所定時間の間の通電オン時間が増加し、通電オフ時間が減少するように制御されて暖房運転の能力が大きくなり、暖房能力の１段階では通電オン時間より通電オフ時間が長く、暖房能力の３段階で通電オン時間と通電オフ時間が同じとなり、暖房能力の４段階から通電オン時間が通電オフ時間より長くなり、暖房能力の４段階からは暖房能力が高くなるにつれより通電オン時間が通電オフ時間より長くなり、最大の暖房能力の１０段階では所定時間全てが通電オン時間となり、通電オフ時間がない状態となって暖房をおこなうものである。
【００１７】
そして更に運転つまみ１１を操作して暖房能力を３段階から４段階、そして５段階に設定すると、表示部９中央の第１の緑色のＬＥＤ１８と、その両端の第２の緑色のＬＥＤ１９と、更にその両端の第３の緑色のＬＥＤ２０が点灯し、表示部９の緑色の面積が最大となり、暖房能力がより大きくなったことを表示する。
【００１８】
そして更に運転つまみ１１を操作して暖房能力を５段階から６段階、そして７段階に設定すると、表示部９中央の第１の緑色のＬＥＤ１８と、その両端の第２の緑色のＬＥＤ１９と、その両端の第３の緑色のＬＥＤ２０と、更にその両端の橙色のＬＥＤ１６が点灯し、表示部９の緑色の面積が最大の状態で更に橙色が点灯した状態となり、暖房能力が最大に近いことを表示する。
【００１９】
そして更に運転つまみ１１を操作して暖房能力を７段階から８段階、そして９段階に設定すると、表示部９中央の第１の緑色のＬＥＤ１８と、その両端の第２の緑色のＬＥＤ１９と、その両端の第３の緑色のＬＥＤ２０と、その両端の橙色のＬＥＤ１６と、更にその両端の赤色のＬＥＤ１７が点灯し、表示部９の緑色の面積が最大の状態で更に橙色と赤色とが点灯し表示部９が全点灯状態となり、暖房能力が最大であることを表示する。
【００２０】
以上のように運転つまみ１１を操作して暖房能力を１段階から１０段階というように多段階に調整できる電気ストーブで、設定されている暖房能力を表示する表示部９を、複数のＬＥＤが横に一直線上に配置されて構成し、その中央に弱から中能力を表示する第１の色である寒色の緑色のＬＥＤ１５を設け、その緑色のＬＥＤ１５の両端に中と強の間の中強能力を表示する第２の色である中間色の橙色のＬＥＤ１６を設け、更にその橙色のＬＥＤ１６の両端に強能力を表示する第３の色である暖色の赤色のＬＥＤ１７を設けて構成したことにより、点灯する色が寒色のみから寒色と中間色、更に寒色と中間色と暖色となることにより色で暖房能力の大小がわかると共に、点灯する面積も点灯する色が多くなるにつれて大きくなるので、点灯面積からも暖房能力の大小がわかるものであり、叉、寒色の寒いイメージに中間色、更には暖色の暖かいイメージが追加されて表示されることにより、暖房への期待感を色でも高めることができるものである。
【００２１】
また、表示部９の中央に設けられた寒色の複数の緑色のＬＥＤ１５を、その複数の緑色のＬＥＤ１５の中央に、暖房能力の１段階から１０段階まで点灯する第１の寒色の緑色のＬＥＤ１８を設け、更にその第１の寒色の緑色のＬＥＤ１８の両端には暖房能力の３段階から１０段階まで点灯する第２の寒色の緑色のＬＥＤ１９を設け、更にその第２の寒色の緑色のＬＥＤ１９の両端には暖房能力の５段階から１０段階まで点灯する第３の寒色の緑色のＬＥＤ２０を設けて構成したことにより、弱から中の暖房能力を点灯面積でその大小がわかるようにするとともに、弱から中の暖房能力では、ヒータ２の最大消費電力に対して７０％以下の消費電力で暖房運転を行うが、中の暖房能力を超えて強の暖房能力では、ヒータ２の最大消費電力に対して７０％を超えて１００％までの消費電力で暖房運転を行うので、省エネ運転を行うのに通常は表示部９が第１の色である寒色の緑色の表示の範囲で電気ストーブを使用するように使用者に省エネ運転の目安を喚起することができるものである。
【図面の簡単な説明】
【００２２】
【図１】この発明の一実施例を付した電気ストーブを示す斜視図。
【図２】同側面図。
【図３】同ブロック図。
【図４】同表示部の概略図。
【符号の説明】
【００２３】
１  電気ストーブ
２  ヒータ
３  本体ケース部
９  表示部
１０  操作部
１１  運転つまみ
１５  寒色の第１の色の発光体
１６  中間色の第２の色の発光体
１７  暖色の第３の色の発光体
【図１】
2010127589.tif 000003
【図２】
2010127589.tif 000004
【図３】
2010127589.tif 000005
【図４】
2010127589.tif 000006